【手続補正書】
【提出日】平成15年10月21日(2003.10.21)
【手続補正１】
【補正対象書類名】明細書
【補正対象項目名】発明の名称
【補正方法】変更
【補正の内容】
【発明の名称】印刷機における枚葉紙搬送システム


【手続補正２】
【補正対象書類名】明細書
【補正対象項目名】特許請求の範囲
【補正方法】変更
【補正の内容】
【特許請求の範囲】
【請求項１】
前置された枚葉紙搬送胴（２）と後置された枚葉紙搬送胴（３）との間に位置する空気吹き付け装置（６）と渡し胴（１）を有し、前記渡し胴（１）がそのくわえ爪列（４）の間に閉じたもしくはほぼ閉じた面（５）を備えており、枚葉紙案内装置（１１）が前記渡し胴（１）の下部領域で、前記くわえ爪列（４）の運動路（７）に沿って、前記前置された枚葉紙搬送胴（２）から前記後置された枚葉紙搬送胴（３）まで延びている、印刷機における枚葉紙搬送システムにおいて、
前記渡し胴（１）の上方に前記くわえ爪列（４）の運動路（７）からわずかな間隔を保って導風部材（８）が配置され、該導風部材が、前記導風部材（８）と前記前置された枚葉紙搬送胴（２）の間の空気流出口（１０）を除いて、前置された枚葉紙搬送胴（２）から後置された枚葉紙搬送胴（３）まで延びる、実質的に密閉された空気空間（９）の上方限界をなし、
前記空気吹き付け装置（６）は前記空気空間（９）に前記後置された枚葉紙搬送胴（３）の方向に空気を吹き込み、
前記枚葉紙案内装置（１１）は枚葉紙（１２、１２’、１２”）を空気クッション上で案内する浮揚案内装置として構成されていることを特徴とする枚葉紙案内システム。
【請求項２】
前記空気吹き付け装置（６）が導風部材（８）に配置されている、請求項１に記載の枚葉紙搬送システム。
【請求項３】
前記空気吹き付け装置（６）の、後置された枚葉紙搬送胴（３）に対するその揃えに関して、調節可能である、請求項２に記載の枚葉紙搬送システム。
【請求項４】
前記空気吹き付け装置（６）によって吹き込まれる枚葉紙搬送空気（３４）がすぐれた乾燥効果を達成するために加熱される、請求項１から３のいずれか一項に記載の枚葉紙搬送システム。
【請求項５】
前記枚葉紙案内装置（１１）が枚葉紙（１２、１２’、１２”）の浮場案内を行なうための空気流入口を備えている、請求項１から４のいずれか１項に記載の枚葉紙搬送システム。
【請求項６】
前記導風部材（８）の下方で、前記くわえ爪列（４）の運動路（７）と前置された枚葉紙搬送胴（２）との間に、該搬送胴の方向に揃えられた導風装置（１３）が配置されている、請求項１から５のいずれか一項に記載の枚葉紙搬送システム。
【請求項７】
前記導風装置（１３）が前記導風部材（８）に平行に並ぶ板で構成され、該板はその端部に前置された枚葉紙搬送胴（２）に向けられた屈曲部（１５）を備えている、請求項６に記載の枚葉紙搬送システム。
【請求項８】
前記導風部材（８）の端部が前置された枚葉紙搬送胴（２）に向けられた屈曲部（１６）を備えている請求項の１から７のいずれか一項に記載の枚葉紙搬送システム。
【請求項９】
前記導風装置（１３）が格子薄板として形成されている、請求項１から８のいずれか一項に記載の枚葉紙搬送システム。
【請求項１０】
前記導風部材（８）の下方で、前記くわえ爪列（４）の運動路（７）と前置された枚葉紙搬送胴（２）との間に該搬送胴の方向に向けられた追加の空気吹き付け装置（１７）が配置されている請求項１から９のいずれか一項に記載の枚葉紙搬送システム。
【請求項１１】
前記空気流出口（１０）が空気流出路（１８）として形成されている、請求項１から１０のいずれか一項に記載の枚葉紙搬送システム。
【請求項１２】
前記空気流出路（１８）内に乾燥機（１９）が配置されている、請求項１１に記載の枚葉紙搬送システム。
【請求項１３】
前記乾燥機（１９）が放射線乾燥機である、請求項１２に記載の枚葉紙搬送システム。
【請求項１４】
前記乾燥機（１９）が送風機を備えている、請求項１２または１３に記載の枚葉紙搬送システム。
【請求項１５】
前記渡し胴（１）が側方密閉板を備えている、請求項１から１４のいずれか一項に記載の枚葉紙搬送システム。
【請求項１６】
枚葉紙搬送システムの上方に踏み板（２２）が配置されている請求項１から１５のいずれか一項に記載の枚葉紙搬送システム。
【請求項１７】
前記踏み板（２２）が同時に導風部材（８）である、請求項１６に記載の枚葉紙搬送システム。
【請求項１８】
前記空気吹き付け装置（６）に通ずる空気取り入れ口（２０）が踏み板（２２）に形成された開口（２０）の形で設けられている、請求項１６または１７に記載の枚葉紙搬送システム。
【請求項１９】
前記空気流出口（１０）に後置された空気出口（２１）が踏み板（２２）に形成された開口（２３）の形で設けられている、請求項１６、１７または１８に記載の枚葉紙搬送システム。
【請求項２０】
前記空気流出口（１０）から流出する空気が前記空気吹き付け装置（６）に供給される請求項１から１９のいずれか一項に記載の枚葉紙搬送システム。
【手続補正３】
【補正対象書類名】明細書
【補正対象項目名】０００１
【補正方法】変更
【補正の内容】
【０００１】
【発明の属する技術分野】
本発明は、前置された枚葉紙搬送胴と後置された枚葉紙搬送胴との間に位置する空気吹き付け装置と渡し胴を有し、渡し胴がそのくわえ爪列の間に閉じたもしくは基本的に閉じた面を備えており、枚葉紙案内装置渡し胴の下部領域で、くわえ爪列の運動路に沿って、前置された枚葉紙搬送胴から後置された枚葉紙搬送胴まで延びている枚葉紙搬送システムに関する。


【手続補正４】
【補正対象書類名】明細書
【補正対象項目名】０００６
【補正方法】変更
【補正の内容】
【０００６】
本発明の目的は、所期の物質流により枚葉紙搬送と、印刷ユニットの間で乾燥が行なわれる場合には枚葉紙乾燥とが、わずかなエネルギー消費で改善される、簡潔な構成を有する冒頭に述べたたぐいの枚葉紙搬送システムを提供することである。


【手続補正５】
【補正対象書類名】明細書
【補正対象項目名】０００７
【補正方法】変更
【補正の内容】
【０００７】
【課題を解決するための手段】
前記目的は本発明によれば、渡し胴の上方にくわえ爪列の運動路からわずかな間隔を保って導風部材が配置され、導風部材が、導風部材と前置された枚葉紙搬送胴の間の空気流出口を除いて、前置された枚葉紙搬送胴から後置された枚葉紙搬送胴まで延びる、実質的に密閉された空気空間の上方限界をなし、
空気吹き付け装置は前記空気空間に後置された枚葉紙搬送胴の方向に空気を吹き込み、枚葉紙案内装置は枚葉紙を空気クッション上で案内する浮揚案内装置として構成されていることによって達成される。


【手続補正６】
【補正対象書類名】明細書
【補正対象項目名】０００８
【補正方法】変更
【補正の内容】
【０００８】
本発明はわずかな機械技術的コストで冒頭に挙げた空気吹き付け装置の空気が多重利用されるとの利点を有する。同空気は、先ず、後置された枚葉紙搬送胴に引き渡された枚葉紙への吹き付けに利用され、次いでこの吹き付け空気は前置された枚葉紙搬送胴の方向に誘導され、同所においても確実な枚葉紙搬送が達成される。これに加えてさらに前置された枚葉紙搬送胴の牽引流の作用が利用される。その後なお一部の吹き付け空気は渡し胴によって運搬される枚葉紙を搬送するための支持空気として利用される。


【手続補正７】
【補正対象書類名】明細書
【補正対象項目名】００１２
【補正方法】変更
【補正の内容】
【００１２】
これらの利点に加えてさらに、前置された枚葉紙搬送胴部に必要に応じて高い乾燥効果を有する逆流領域が発生させられる。湿潤空気は流出させられ、より乾燥した空気が枚葉紙支持空気として利用され、同空気は渡し胴領域における確実な枚葉紙搬送を行なうと同時に枚葉紙のさらなる乾燥を行なう。後置された枚葉紙搬送胴に枚葉紙が引き渡されると共に新鮮空気の吹き込みが行なわれ、支持空気と新鮮空気との渦が形成され、これによって再び高い乾燥効果が達成される。空気吹き付け装置の配置によりもっぱら乾燥した空気を印刷機外から吸い込むことができる。これらの有利な作用は図に基づいて詳細に説明される。


【手続補正８】
【補正対象書類名】明細書
【補正対象項目名】００２１
【補正方法】変更
【補正の内容】
【００２１】
湿潤空気の除去とできるだけ乾燥した空気の供給とをさらに向上させるため、空気吹き付け装置に至る空気取り入れ口が印刷機内に通じ、空気流出口に後置された空気出口が印刷機外に通じる他の構成が利用される。この場合、空気取り入れ口と空気出口とは、たとえば踏み板に設けられた開口、好ましくは格子の形の開口によって形成することができる。多色印刷機の印刷ユニットの間に配置されているようなこの種の踏み板は、同時に導風部材としても利用することができる。


【手続補正９】
【補正対象書類名】明細書
【補正対象項目名】００２２
【補正方法】変更
【補正の内容】
【００２２】
ただし、空気出口から排出される流れが作業室空間内に排出されるのではなく、作業室空間外に排出されるようにすることも可能である。こうした方法で排気の除去を管理することは装置によって形成される空間が密閉性を有していることによって可能である。こうした方法で作業室空間の衛生条件を向上させ、排気を排気浄化装置に供給することができることからして、これは本発明のさらなる大きな利点である。